(57)【要約】【課題】  字幕番組データをアナログテレビジョンで利用可能にする。【解決手段】  テレビジョン放送において、字幕番組を放送するとともに、字幕データから放送内容に関連するさらに詳細な情報を得るための付加データを抽出し、付加データをマークアップ言語化し、放送番組と時間的に連動して、放送局のサーバを通じて視聴者の通信装置に供給する。視聴者はアナログテレビジョン受信機で番組を受信するとともに、リモコン機能付通信端末でマークアップ言語化されて送信された付加情報を受信し、付加情報を利用して希望する情報を入手する。この構成は、テレビジョン放送が、アナログ放送とディジタル放送を同時に行うサイマルテレビジョン放送にも適用可能である。【選択図】  図３
2005328120.tif 000002
【特許請求の範囲】
【請求項１】
テレビジョン放送において、字幕番組を放送するとともに、字幕データから放送内容に関連するさらに詳細な情報を得るための付加データを抽出し、前記付加データをマークアップ言語化し、放送番組と時間的に連動して、放送局のサーバを通じて視聴者の通信装置に供給する、通信による付加データ供給方法。
【請求項２】
前記テレビジョン放送が、アナログ放送とディジタル放送を同時に行うサイマルテレビジョン放送である、請求項１の通信による付加データ供給方法。
【請求項３】
放送局が字幕番組を放送するとともに、字幕データから放送内容に関連するさらに詳細な情報を得るための付加データを抽出し、前記付加データをマークアップ言語化し、放送番組と時間的に連動して、放送局のサーバを通じて視聴者の通信装置に供給し、
視聴者がアナログテレビジョン受信機で番組を受信するとともに、リモコン機能付通信端末でマークアップ言語化されて送信された付加情報を受信し、
前記付加情報を利用して希望する情報を入手する、字幕放送を利用する双方向通信方法。
【発明の詳細な説明】
【技術分野】
【０００１】
本発明は、アナログテレビジョン放送を利用して双方向通信、特に字幕放送と携帯電話とを連動させた双方向通信の実現に関するものである。
【背景技術】
【０００２】
アナログＴＶ電波を利用するデータ放送は、走査線にデータを多重する走査線多重（ＶＢＩ）データ放送及び音声帯域にデータを多重するＡＳＣ等のデータ多重放送が行われてきた。
【０００３】
また、近年、映像及び音声をディジタル化し、そこにデータを混在させて放送するディジタルＴＶ放送が開始された。
【０００４】
ディジタルＴＶ受信機は通信回線に接続可能な構成になっており、放送波の中からＴＶ番組とともに送信されたディジタルデータを取りだし、放送局のサーバに接続してコミュニケーションしたり、あるいは番組内容と関連する情報を有するサーバに接続して番組に関連する詳細な情報を入手したりあるいは、商品の購入を行うことが可能である。
【０００５】
アナログＴＶからデジタルＴＶへの移行が進められているが、ＴＶ放送が全面的にディジタル放送に移行するまでの間はアナログＴＶ放送も並行して行われ、デジタルＴＶとアナログＴＶとで同じ番組を同時に放送するサイマル放送が行われている。
【０００６】
アナログＴＶ放送はアナログＴＶ受信機で受信されるが、走査線多重データ放送あるいは音声多重データ放送を受信することが可能なＴＶ受信機であっても、受信データは単に表示するに止まり、取り出して利用することは考慮されていないため、ディジタルＴＶ受信機のようにデータを取りだし、放送局のサーバに接続したり、番組内容と関連する情報を有するサーバに接続したりすることはできない。
【０００７】
また、アナログＴＶ画面から放送局や情報入手元のＵＲＬやアドレスを入力するのは手間がかかり、誤入力がないように注意が必要である。
【０００８】
図１に示したのは、本発明者等が特開２００２−７７８７２で開示した、放送されたデータを利用する方法である。
このシステムはテレビジョン放送局５０，受信装置であるセットトップボックス５１，表示装置５２及びＣＭ管理サーバ５５から構成され、セットトップボックス５１とＣＭ管理サーバ５５との間はインターネットを利用するネットワーク５４が介在しており、セットトップボックス５１にはさらにハードディスク等の大容量記録装置が含まれている。また、種々の操作は赤外線リモートコントローラ５３を用いて行われる。
【０００９】
テレビジョン放送局５０から送出された放送信号は、テレビジョン受信アンテナを経由してセットトップボックス５１に取り込まれ、テレビジョン映像が表示装置５２に表示される。
【００１０】
視聴者があらかじめＣＭデータの記憶モードを設定し、視聴者がＣＭを見てリモートコントローラ５３を操作した場合には、現ＣＭのＣＭ付加情報と、ＣＭ中の１フレームを取り込んだ静止画データのサムネイル画面、ならびに遅延メモリ内のＣＭ先頭位置マーク以降のＣＭ映像・音声データ１５秒間分、及び受信チャンネル番号受信日時を一括して１アイテム分として記憶媒体に蓄積する。
【００１１】
記録装置としては数ギガバイト程度の固定ディスクが使用され、全データ長，受信年月日・時分秒，受信チャンネル，ＣＭ付加情報，ＣＭテキスト，ＣＭ番組データ，ＣＭ映像圧縮データ，ＣＭ音声圧縮データ，自動削除許可フラグからなり、一例として１５秒のＣＭの場合で４Ｍバイト相当のＣＭデータが蓄積される。
【００１２】
ＣＭ情報データベース中の個々のＣＭ情報データは、視聴者がセットトップボックス５１に入力する広告元名や商品分類コードをキーとしてＣＭ情報データごとに抽出され、表示装置５２に表示される。
また、「サムネイル画面ボタン」をクリックすることにより表示画面が映像に切り替わり、ＣＭが動画表示されると共に音声が再生される。
表示画面中の「ＵＲＬ」ボタンをクリックすると広告元のホームページが呼び出され、「ＴＥＬ」ボタンをクリックすると電話が発呼される。
【００１３】
図２に示したのは、本発明者等が特願２００３−１８６２３４で開示した、放送されたデータを利用する他のシステムである。
このシステムはテレビジョン放送局６０，セットトップボックス６１，表示装置６２，リモートコントローラ６３，インターネットサーバ６５，通信端末６６及びデータ管理サーバ６７から構成され、セットトップボックス６１，インターネットサーバ６５，通信端末６６及びデータ管理サーバ６７はインターネットを利用するネットワーク６４に接続されている。
【００１４】
セットトップボックス６１の基本的な構成は図１に示されたものと同じであり、機能のみが異なっている。この異なっている機能は、既存の装置のメモリを構成しているＲＯＭに書き込まれたプログラムを変更することによって実現される。
【００１５】
ＲＯＭに書き込まれたプログラムの第１の特徴は、メール機能である。このメール機能により視聴者が指定するデータあるいはＣＭ付加情報をメール本文とするメールが作成され、視聴者が指定するメールアドレスに送信される。
【００１６】
テレビジョン放送局６０から送出された放送信号は、テレビジョン受信アンテナを経由してセットトップボックス６１に取り込まれ、テレビジョン映像が表示装置６２に表示される。
データ放送ではデータ番組の他に、番組内容の問い合わせ先のＵＲＬ，電話番号，住所等のデータ，レシピ等の番組内容の詳細なデータが放送され、ＣＭ付加情報としてはＣＭテキストの他に、広告元のＵＲＬ，電話番号，住所等のデータが放送される。
【００１７】
受信側では、視聴者がセットトップボックス６１で放送番組とともにデータ放送番組を、ＣＭ番組とともにＣＭ付加情報番組を受信し、放送番組とＣＭ番組は表示装置６２で表示される。データ番組及びＣＭ付加情報は表示装置６２に放送番組及びＣＭ番組と同時に表示されるか、あるいは表示機能を切り替えることにより別に表示される。
なお、この場合表示装置６２とは別にデータ番組及びＣＭ付加情報表示用の補助表示装置を設けてもよい。
【００１８】
視聴者がリモートコントローラ６３を操作するとセットトップボックス６１がデータ放送コンテンツあるいはＣＭ付加情報を本文とし視聴者が指定するパーソナルコンピュータあるいは携帯電話器である通信端末６６を送信先アドレスとするメールが作成され、ネットワーク６４及びインターネットサーバ６５を経由して送信される。
【００１９】
視聴者がデータ放送番組について問い合わせあるいはＣＭについて問い合わせをする場合には、詳細なデータが保存されているデータ管理サーバ６７のＵＲＬから情報を入手する。また、場合によっては電話番号あるいは住所等の情報に基づき電話あるいは郵便等で情報を入手する。
【特許文献１】特開平８−５６３４８
【特許文献２】特開２００２−７７８７２
【特許文献３】特願２００３−１８６２３４
【発明の開示】
【発明が解決しようとする課題】
【００２０】
本発明者は、赤外線リモートコントローラが付加された電話器を特開平８−５６３４８で提案した。この電話器は赤外線リモートコントローラを用いてＴＶ受信機を制御するとともに、視聴に必要な鍵とのデータをサーバから入手し、ＴＶ受信機に送り込む。
【００２１】
この電話器を利用する、次のような方法が提案されている。
視聴者は地域ごとにＴＶチャンネルに対応するＴＶ放送局のサイトを予め携帯電話機に入力しておき、リモートコントローラで指定したＴＶチャンネルに対応するＴＶ放送局のサイトに携帯電話器を接続しておく。
ＴＶ放送局はＴＶ放送で多重されるデータと同じデータを放送局サイトから携帯電話器に同時に送信、いわばデータサイマル、する。
【００２２】
その結果、アナログＴＶ受信機に多重されたデータが表示されると同時に携帯電話機にも同じデータが表示される。
視聴者がＴＶ受信機に表示されたデータに関心がある場合には、同じデータを携帯電話機に取り込んで利用する。
【００２３】
この方法による場合、ＴＶ放送番組と、ＴＶ放送に多重されるデータと、放送局サイトから携帯電話器に送信するデータとをどのように製作・管理するかが課題となる。
【００２４】
また、アナログＴＶ画面から放送局や情報入手元のＵＲＬやアドレスを入力するのは手間が係り、誤入力がないように注意が必要である。
【課題を解決するための手段】
【００２５】
本発明では、サイマルＴＶ放送において字幕番組を放送するとともに、ＡＰＳスイッチャで番組ソースから字幕放送データを取りだし、一般番組や、ＣＭ番組の放送と時間的に連動して、これらの放送内容に関連するさらに詳細な情報が得られるＷｅｂサイトのアドレス情報を放送局サイトの情報サーバを通じて視聴者の携帯電話あるいはパーソナルコンピュータに供給する。
【００２６】
このサービスを提供中の放送番組については、その放送中であることを視聴者に通知するためにアクセスマーク（アクセスすることを推奨するマーク）をＴＶ受信機画面内の一部あるいは携帯電話またはパーソナルコンピュータの画面に表示する。
【発明の効果】
【００２７】
視聴者はそれにより携帯電話やパーソナルコンピュータからＷｅｂの当該アドレスのサイトにアクセスすることによって自分が興味をもつ番組やＣＭ商品に関する詳細な情報を容易に入手できる。
【００２８】
サイト情報サーバへのアクセス量や傾向を分析することにより、視聴者の番組嗜好やＣＭ商品に対する関心の度合いを把握し、これらを放送局や広告主にフイードバックすることにより放送メディアの媒体価値評価や放送内容の効率化を促進できること。これらのメリットへの対価をこのシステムの受益者から容易に回収しシステム運営に当てることができる。
【発明を実施するための最良の形態】
【００２９】
以下、本発明を実施するための最良の形態を実施例を示して説明する。
【実施例１】
【００３０】
図３に、本発明における放送局側のシステムの概要を示す。
この図において、３０はスタジオあるいは外部中継からの生番組ソース，３１は作成済みの放送番組が格納された番組バンク，３２はＣＭ番組が格納されたＣＭバンク，３６及び４１は字幕番組以外のデータ番組ソースである。
【００３１】
生番組，番組バンク及びＣＭバンクに格納されている番組は、映像，音声及び対応する字幕データから構成されている。
【００３２】
番組に格納されている字幕データには番組の内容及びＣＭの内容を補足する付加データも含まれる。
【００３３】
３３は生番組３０，番組バンク３１，及びＣＭバンク３２等からの信号をコンピュータ制御により切り替えるＡＰＳ(Automatic Program Switching system)スイッチャであり、選択された番組はＥＮＣ(ENCorder)４５により映像，音声及び字幕データがディジタル化された後、ＭＵＸ(Multiplexer)３７に送り込まれる。
【００３４】
一方、字幕データからＵＲＬ等の付加データを抽出し（３４）、通信に利用可能なようにＢＭＬ(Broadcast Markup Language)化され（３５）、データ放送番組３６に統合してＭＵＸ３７に送り込まれ、ＭＵＸ３７においてＡＰＳスイッチャ３３から送り込まれた番組とともにディジタルＴＶ信号とされ、ディジタル送信装置３８から、放送される。
【００３５】
同時に、ＡＰＳスイッチャ３３で選択された信号はＶＩＴＳ(Vertical Interval Test Signal)インサータ３９で垂直帰線期間内の走査線に文字多重放送番組４１の信号が多重されて、アナログＴＶ送信装置４０から、放送される。
【００３６】
一方、字幕データからＵＲＬ等の付加データを抽出し（４２）、通信装置で利用可能なようにＨＴＭＬ(HyperText Markup Language)化され（４３）、放送局サーバ４４から視聴者の携帯電話あるいはパーソナルコンピュータに送信される。
【００３７】
図４に、ディジタルテレビジョン放送における送出信号の関係を示す。
図の（ｄ）にテレビジョン放送における放送番組の送出状況を、（ｂ）に広告（ＣＭ）番組の送出状況を、（ｃ）にＣＭ付加情報の送出状況を（ａ）にＢＭＬ文書データの送出状況を、示している。
なお、時間の経過は左から右方向であり、破線は番組の切り替えタイミングである。
【００３８】
テレビジョン放送番組はステーションブレイク（ステブレ）と呼ばれる放送局の運用期間の間に番組前タイトル，番組本編前半，番組本編後半，番組後タイトルが送出されるがそれぞれの間に番組製作局（キー局）が送出する前ＣＭ，中ＣＭ，後ＣＭが送出される。また、ステーションブレイク中には送出局（地方局）がステーションブレイクＣＭが送出される。
【００３９】
この例は放送番組が２つの部分から構成されている場合であるが、中継番組あるいは映画等のようにより多くの部分から放送番組が構成されている場合があることはいうまでもない。
また、この説明では前ＣＭ，中ＣＭ，後ＣＭは各々４本で説明しているが、この数には特別の意味はない。
【００４０】
（ｃ）に示すＣＭ付加情報は視聴者にアクセス可能であることを伝えるために、ＣＭ番組に合わせてイベント信号により送出される。
【００４１】
（ａ）に示すＢＭＬ文書データは、ＥＣＭＡ(European Computer Manufacturers Association)スクリプト、回線の接続パラメータ、アクセスマークの図形データ等から成り、１分間に１回程度のカルーセルとして送出されている。
【００４２】
受信機側ではＢＭＬ文書データを予め取り込んでおき、放送信号の中のイベント信号によりアクセスマークを表示あるいはアクセス音を発する。アクセスマークが表示されたＣＭ番組等に関心がある視聴者がリモコン機能付き携帯電話機を操作するとリモコン機能により視聴者データがテレビジョン受信機に通知される。
【００４３】
リモコン機能により視聴者データを受け取ったテレビジョン受信機はインターネット接続機能によりその時放送されていたＣＭ付加情報と視聴者データをＷｅｂサーバに送信する。
【００４４】
Ｗｅｂサーバは、受け取った情報からＵＲＬを抜き出し、視聴者の携帯電話機にメールとして送信する。
【００４５】
ＵＲＬを含むメールを受け取った視聴者はそのＵＲＬにより広告主又はテレビジョン放送局のサイトにアクセスし、必要な情報を入手する。
【００４６】
図５に示すのは、本発明において利用する、アナログＴＶ放送における放送番組とデータ番組との関係である。
この図において、（ａ）はテレビジョン放送における放送番組の送出状況、（ｂ）は字幕放送の送出状況、（ｃ）は広告（ＣＭ）番組の送出状況、（ｄ）に字幕放送によるＣＭ付加情報の送出状況を示している。
なお、時間の経過は左から右方向であり、破線は番組の切り替えタイミングである。
【００４７】
このアナログテレビジョン放送番組は図４に示したディジタルテレビジョン放送番組とサイマル放送されており、ステーションブレイク（ステブレ）と呼ばれる放送局の運用用の期間１０と１８の間に番組前タイトル１１，番組本編前半１３，番組本編後半１５，番組後タイトル１６が送出されるがそれぞれの間に番組製作局（キー局）が送出する前ＣＭ１２，中ＣＭ１４，後ＣＭ１７が送出される。また、ステーションブレイク中には送出局（地方局）がステーションブレイクＣＭ１０及び１８が送出される。
【００４８】
放送番組とは別に帰線消去期間（ＶＢＩ）中の走査線を利用して文字多重放送番組が送出されるがその中で２１Ｈ及び２８４Ｈの走査線に多重して字幕放送番組が送出される。
【００４９】
（ｂ）及び（ｄ）に、２１Ｈ及び２８４Ｈの走査線の利用状況を示す。（ｂ）に示すようにテレビジョン放送番組の放送に合わせて字幕放送２１，２３及び２５が放送され、（ｃ）に示すようにＣＭ番組の放送に合わせてＣＭの付加情報付字幕放送２０，２２，２４，２７，２８が放送される。
【００５０】
ＣＭ付加情報は付加情報識別コードに続き付加情報開始番号，ＣＭ時間長，ＣＭ管理番号，ＣＭ広告元名，広告元ＵＲＬ，広告元電話番号，商品分類コード，サムネイル化位置，ＣＭテキストなどから構成される。
【００５１】
ＣＭ付加情報２０，２２，２４，２７及び２８は各々ＣＭ１０，１２，１４，１７及び１８の送出と同時に送出される。
【００５２】
本発明において、字幕放送されているデータは、ＡＰＳスイッチャ３３から取り出してＷｅｂサーバ４４に送り込まれ、視聴者の携帯電話あるいはパーソナルコンピュータに送信され、表示されている。
視聴中に携帯電話機等にアクセスマークが表示されあるいはアクセス音が発せられた時に、視聴者が携帯電話機を操作することにより、視聴者データがＷｅｂサイトに通知される。
【００５３】
Ｗｅｂサーバは、受け取った情報からＵＲＬを抜き出し、視聴者の携帯電話機にメールとして送信する。
【００５４】
ＵＲＬを含むメールを受け取った視聴者はそのＵＲＬにより広告主又はテレビジョン放送局のサイトにアクセスし、必要な情報を入手する。
【００５５】
この方法は、ＣＭ番組に字幕データが付加されていない場合であっても適用可能である。
帰線期間信号中の走査線で１７〜２０Ｈ及び２８０〜２８３Ｈの走査線は放送局の運用に用いられ、ＣＭを管理するＣＭ管理番号もこれらの走査線を利用して送信される。したがって、字幕がＣＭ付加情報とされていない場合であっても、ＶＩＴＣ(Virtical Interval Time Code)に登録されたＣＭ管理番号を認識することにより、得られたＣＭ管理番号を、視聴者データがＷｅｂサイトに通知することにより、視聴者がＵＲＬを受け取り、そのＵＲＬを利用することができる。
【００５６】
図６に本発明の全体システムを示す。
本発明において、テレビジョン放送局７０はディジタルテレビジョン放送電波とアナログテレビジョン放送電波を用いて、同時に同じテレビジョン番組を放送する「サイマル放送」を行っている。
【００５７】
ディジタル放送電波を受信している視聴者はディジタルテレビジョン受信機７１で番組を受信するとともに、リモコン機能付き携帯電話機等のリモコン付通信端末７２を使用し、そのリモコン機能（通常は赤外線を使用）してディジタルテレビジョン受信機７１と通信し、付加情報としてＢＭＬ化されて送信されたＵＲＬ等のデータを利用してネットワーク７６経由で広告主あるいは放送局のＷｅｂサーバ７５にアクセスし、希望する情報を入手する。
ディジタル放送電波を受信している視聴者はディジタルテレビジョン受信機７１で番組を受信するとともに、リモコン機能付き携帯電話機等のリモコン付通信端末７２を使用し、そのリモコン機能（通常は赤外線を使用）してディジタルテレビジョン受信機７１と通信し、付加情報としてＢＭＬ化されて送信されたＵＲＬ等のデータを利用してネットワーク７６経由で広告主のＷｅｂサーバ７５にアクセスし、希望する情報を入手する。
【００５８】
アナログ放送電波を受信している視聴者はアナログテレビジョン受信機７３で番組を受信するとともに、リモコン機能付き携帯電話機等の通信端末でＷｅｂサーバ７７からＨＴＭＬ化されて送信される付加情報を受信している。
テレビジョン番組中あるいは通信端末により受信した付加情報により入手を希望する情報を発見した視聴者はＷｅｂサーバあるいは広告主／放送局Ｗｅｂサーバ７５から希望する情報を入手する。
【００５９】
アナログＴＶの地上放送波では、ＶＨＦ帯で１〜３チャンネルのローチャンネル，４〜１２チャンネルのハイチャンネルが，ＵＨＦ帯で１３〜６２チャンネルのＵチャンネルが利用されているが、使用チャンネルは地域ごとに異なっているため、地域ごとに設定するのはやっかいである。
【００６０】
ＧＰＳを組み込んだ携帯電話機あるいは携帯電話機の所在位置による位置情報探知システムが実用されている。
どのＴＶ放送局のサービスエリアは知られているから、携帯電話からの位置情報と放送局位置情報を組み合わせれば、受信チャンネルと放送局位置情報を自動的に組み合わせることが可能である。
【００６１】
字幕放送番組は常にＴＶ放送番組と連動している。
そのため、番組としてＣＭが放送されている時には字幕番組としてＣＭ関連情報が放送されている。本発明の構成によれば、視聴しているＴＶチャンネルと連動するサイトに携帯電話機あるいはパーソナルコンピュータを接続しておけば、これらにも字幕放送のデータが送信されている。
したがって、そのデータによて携帯電話やパーソナルコンピュータからＷｅｂの当該アドレスのサイトにアクセスすれば、自分が興味をもつ番組やＣＭ商品に関する詳細な情報を容易に入手することができる。
【００６２】
なお、このサービスを提供中の放送番組については、その放送中であることを視聴者に通知するためにアクセスマーク（アクセスすることを推奨するマーク）をＴＶ受信機画面内の一部あるいは携帯電話またはパーソナルコンピュータの画面に表示することが望ましい。
【００６３】
以上説明した実施例ではマークアップ言語としてディジタルテレビジョン放送ではＢＭＬをアナログテレビジョン放送のサーバではＨＴＭＬを使用したが、これ以外の言語が使用可能なことはいうまでもない。
【産業上の利用可能性】
【００６４】
サイト情報サーバへのアクセス量や傾向を分析することにより、視聴者の番組嗜好やＣＭ商品に対する関心の度合いを把握し、これらを放送局や広告主にフイードバックすることにより放送メディアの媒体価値評価や放送内容の効率化を促進できること。これらのメリットへの対価をこのシステムの受益者から容易に回収しシステム運営に当てることができる。
【００６５】
また、ＣＭ関連情報以外に番組中の問い合わせ先情報、投稿先情報などの送信にも利用可能である。
【図面の簡単な説明】
【００６６】
【図１】従来技術の説明図。
【図２】先行技術の説明図。
【図３】アナログＴＶ放送における放送番組とデータ番組との関係図。
【図４】本発明における放送局側のシステムの概要。
【図５】アナログＴＶ放送における放送番組とデータ番組との関係。
【図６】本発明の全体システム。
【符号の説明】
【００６７】
１０，１８  ステーションブレイク
１１  番組前タイトル
１２  前ＣＭ
１３  番組本編前半
１４  中ＣＭ
１５  番組本編後半
１６  番組後タイトル
１７  後ＣＭ
２０，２２，２４，２７，２８  ＣＭ付加情報
２１，２３，２５  字幕放送
３０  生番組ソース
３１  番組バンク
３２  ＣＭバンク
３３  ＡＰＳスイッチャ
３６，４１  データ番組ソース
３７  ＭＵＸ
３８  ディジタル送信装置
３９  ＶＩＴＳインサータ
３９  Ｗｅｂサーバ
４０  アナログＴＶ送信装置
４４  放送局サーバ
４５  ＥＮＣ
５０  テレビジョン放送局
５１  セットトップボックス
５２  表示装置
５３  リモートコントローラ
５４  ネットワーク
５５  ＣＭ管理サーバ
６０  テレビジョン放送局
６１  セットトップボックス
６２  表示装置
６３  リモートコントローラ
６４  ネットワーク
６５  インターネットサーバ
６６  通信端末
６７  データ管理サーバ
７０  テレビジョン放送局
７１  ディジタルテレビジョン受信機
７２  リモコン付通信端末
７５  Ｗｅｂサーバ
７６  ネットワーク
７７  Ｗｅｂサーバ
【図１】
2005328120.tif 000003
【図２】
2005328120.tif 000004
【図３】
2005328120.tif 000005
【図４】
2005328120.tif 000006
【図５】
2005328120.tif 000007
【図６】
2005328120.tif 000008